(57)【要約】【課題】  左右一対の支持腕を備えて形成されているシャツ仕上げ機において、シャツの袖の傾斜角が異なる場合でも、一台で柔軟に対応して袖を綺麗に仕上げることができるようにする。【解決手段】  支持腕４の高さを変更する昇降動作機構１０を人体型２の後側に設ける。この昇降動作機構１０を、支持腕４の下端が取り付けられている動作部１０ａと、この動作部１０ａを昇降させる駆動装置１０ｂと、この駆動装置１０ｂで昇降する動作部１０ａを上下方向に案内するガイド部１０ｃとで形成する。バー９の長さを支持腕４の高さに応じて調節可能に形成する。このバー９の下端と、支持腕４の駆動手段３を、動作部１０ａに取り付ける。【選択図】      図１
2015012985.tif 000002
【特許請求の範囲】
【請求項１】
シャツを着せるための人体型と、この人体型の両側に配置されて駆動手段で人体型の側方に傾倒しシャツの袖を牽引する左右一対の支持腕とを備え、この支持腕の上部に、フレームが人体型の前後方向に沿った軸を中心に正逆方向に回転自在に設けられ、このフレームに、袖の先端部をセットするための下鏝と、この下鏝の上面を押圧して袖の先端部をプレス仕上げするための上鏝とが設けられ、またこのフレームの回転角を、支持腕の回動に連れて下鏝の先端が人体型の肩口に向く状態に規制するバーが人体型の両側に設けられているシャツ仕上げ機であって、上記の支持腕の高さを変更する昇降動作機構が人体型の後側に設けられ、この昇降動作機構が、上記の支持腕の下端が取り付けられている動作部と、この動作部を昇降させる駆動装置と、この駆動装置で昇降する動作部を上下方向に案内するガイド部とで形成され、上記のバーの長さが支持腕の高さに応じて調節可能に形成され、このバーの下端と、上記の支持腕の駆動手段が、上記の動作部に設けられていることを特徴とするシャツ仕上げ機。
【請求項２】
請求項１記載のシャツ仕上げ機であって、駆動装置が、人体型の後側に、垂直に設けられている一台のシリンダーで形成され、このシリンダーで支持腕の高さが高い状態と低い状態の二段階に変更可能に形成されていることを特徴とするシャツ仕上げ機。
【請求項３】
請求項１又は２記載のシャツ仕上げ機であって、バーが、棒状の本体部と、この本体部に直線状に連結されているシリンダーとで形成されていることを特徴とするシャツ仕上げ機。
【発明の詳細な説明】
【技術分野】
【０００１】
本発明は、洗濯したワイシャツ等のシャツをプレス仕上げするためのシャツ仕上げ機に関し、更に詳しくは人体型にシャツを着せた状態で、シャツの皺を除去できるよう形成したシャツ仕上げ機に関するものである。
【背景技術】
【０００２】
従来、この種の仕上げ機としては、例えば特許文献１に記載されているものがある。
この従来機は、シャツを着せるための人体型と、この人体型の両側に配置されて駆動手段で人体型の側方に傾倒しシャツの袖を牽引する左右一対の支持腕とを備えて形成されている。
【０００３】
そして、従来機は、支持腕の上部に、フレームが人体型の前後方向に沿った軸を中心に正逆方向に回転自在に設けられている。またこの従来機は、フレームに、袖の先端部をセットするための下鏝と、この下鏝の上面を押圧して袖の先端部をプレス仕上げするための上鏝とが設けられ、フレームの回転角を、支持腕の回動に連れて下鏝の先端が人体型の肩口に向く状態に規制するバーが人体型の両側に設けられている。
【０００４】
ところで、袖は、傾斜角やデザインが、微妙に異なるのが通例である。例えばワイシャツは、図８に示されるように、袖の傾斜角が、緩いタイプＡ（一般的に米国に多いため、以下、「米国型」という）と、急なタイプＢ（一般的に欧州に多いため、以下、「欧州型」という）とに分けられる。
【０００５】
而して、クリーニング工場に持ち込まれる洗濯物の中には、米国型のシャツも、欧州型のシャツも混在しているのが通例である。従って、この種の仕上げ機は、袖の傾斜角が異なる場合でも、一台で柔軟に対応できるよう形成されているのが望ましい。
【０００６】
しかるに、従来機は、支持腕の高さ、即ち、袖の先端部をセットするための下鏝の高さが決められていた。換言すると、従来機は、シャツの袖の角度が異なっても、支持腕が同じ高さで回動して袖を牽引する構造であった。
【０００７】
そのため、例えば米国型のシャツに合せて支持腕の傾斜角が設定されている従来機で、欧州型のシャツを処理すると、袖をバランスよく牽引できなかった。
その結果、従来機の場合は、袖の一部に引き攣れや弛みを発生させたから、従来機によると、例えば米国型や欧州型のシャツを、一台で綺麗に仕上げることができない、という問題点があった。
【先行技術文献】
【特許文献】
【０００８】
【特許文献１】特許第４４０９５２２号公報
【発明の概要】
【発明が解決しようとする課題】
【０００９】
本発明は、このような従来品の問題点に鑑み、提案されたものである。
従って本発明の解決しようとする技術的課題は、左右一対の支持腕を備えて形成されているシャツ仕上げ機において、シャツの袖の傾斜角が異なる場合でも、一台で柔軟に対応して袖を綺麗に仕上げることができるよう形成したシャツ仕上げ機を提供することにある。
【課題を解決するための手段】
【００１０】
本発明は、上記の課題を解決するため、次のような技術的手段を採る。
即ち本発明は、図１等に示されるように、シャツ１を着せるための人体型２と、この人体型２の両側に配置されて駆動手段３で人体型２の側方に傾倒しシャツ１の袖１ａを牽引する左右一対の支持腕４とを備え、この支持腕４の上部に、フレーム５が人体型２の前後方向に沿った軸６ａを中心に正逆方向に回転自在に設けられ、このフレーム５に、袖１ａの先端部をセットするための下鏝７と、この下鏝７の上面を押圧して袖１ａの先端部をプレス仕上げするための上鏝８とが設けられ、またこのフレーム５の回転角を、支持腕４の回動に連れて下鏝７の先端が人体型２の肩口に向く状態に規制するバー９が人体型２の両側に設けられているシャツ仕上げ機であって、上記の支持腕４の高さを変更する昇降動作機構１０が人体型２の後側に設けられ、この昇降動作機構１０が、上記の支持腕４の下端が取り付けられている動作部１０ａと、この動作部１０ａを昇降させる駆動装置１０ｂと、この駆動装置１０ｂで昇降する動作部１０ａを上下方向に案内するガイド部１０ｃとで形成され、上記のバー９の長さが支持腕４の高さに応じて調節可能に形成され、このバー９の下端と、上記の支持腕４の駆動手段３が、上記の動作部１０ａに取り付けられていることを特徴とする（請求項１）。
【００１１】
而して、この場合、本発明は、駆動装置１０ｂが、人体型２の後側に、垂直に設けられている一台のシリンダーで形成され、このシリンダーで支持腕４の高さが高い状態と低い状態の二段階に変更可能に形成されているのが好ましい（請求項２）。
なぜならこれによると、左右の支持腕４ごと駆動装置１０ｂを設ける場合に比べ、構造を簡単化でき、部品コストを低減できるからである。また支持腕４の高さを二段階に変更できるため、これによると、シャツ１が米国型でも欧州型でも、一台で容易に対応できるからである。
【００１２】
また本発明は、図２等に示されるように、バー９が、棒状の本体部９ａと、この本体部９ａに直線状に連結されているシリンダー９ｂとで形成されているのが好ましい（請求項３）。
なぜならこれによると、バー９の長さ調節を、少ない部品で、且つ簡単な構造で実現できるからである。
【発明の効果】
【００１３】
本発明は、このようにシャツの袖の傾斜角に応じて、支持腕の高さを変更可能に形成されている。
従って、本発明の場合は、袖の一部に引き攣れや弛みを発生させることなく、支持腕で袖をバランスよく牽引できるから、これによれば、洗濯物の中に袖の傾斜角が異なるシャツが混じっていても、本発明品の一台で、袖を綺麗に仕上げることができる。
【図面の簡単な説明】
【００１４】
【図１】本発明の仕上げ機の好適な一実施形態を示す要部正面図である。
【図２】同上仕上げ機の要部背面図である。
【図３】同上仕上げ機の要部拡大背面図である。
【図４】同上仕上げ機の要部拡大斜視図である。
【図５】同上仕上げ機の要部拡大斜視図である。
【図６】同上仕上げ機の作用を説明するための要部背面図である。
【図７】同上仕上げ機の作用を説明するための要部背面図である。
【図８】シャツの袖の傾斜角の違いを説明するための要部正面図である。
【発明を実施するための形態】
【００１５】
以下、本発明の好適な一実施形態を添付図面に従って説明する。
本発明の仕上げ機は、図１等に示されるように、シャツ１を着せるための人体型２（人体の上部を模した型）と、この人体型２の両側に配置されて駆動手段３で人体型２の側方に傾倒しシャツ１の袖１ａを牽引する左右一対の支持腕４とを備えて形成されている。本発明の場合、人体型２の内部は排気され、シャツ１の前後の身頃は、人体型２の表面に吸着可能に形成されている。駆動手段３は、この実施形態ではシリンダーである。
【００１６】
本発明は、支持腕４の上部に、フレーム５が人体型２の前後方向に沿った軸６ａを中心に正逆方向に回転自在に設けられている。また本発明は、このフレーム５に、袖１ａの先端部をセットするための下鏝７と、この下鏝７の上面を押圧して袖１ａの先端部をプレス仕上げするための上鏝８とが設けられている。
【００１７】
また本発明は、フレーム５の回転角を、支持腕４の回動に連れて下鏝７の先端が人体型２の肩口に向く状態に規制するバー９が、人体型２の両側に設けられている。このバー９は、支持腕４が傾倒したり引き起こされるとき、下鏝７の先端が、袖１ａの内面の上側を突き上げたり、内面に接触して生地を傷めたり、生地に皺を付けることを防止するためのものである。
【００１８】
このバー９の上端は、フレーム５の所定箇所に回転可能に取り付けられている。またこのバー９は、図２、図３等に示されるように、棒状の本体部９ａと、この本体部９ａに直線状に連結されているシリンダー９ｂとで形成されている。そして、バー９は、左右の支持腕４ごと、人体型２の左右側に、夫々傾斜状に設けられている。
【００１９】
また本発明は、上記の支持腕４の高さを変更する昇降動作機構１０（図１、図５参照）が、人体型２の後側に設けられている。この昇降動作機構１０は、上記の支持腕４の下端が回転可能に取り付けられている動作部１０ａと、この動作部１０ａを昇降させる駆動装置１０ｂと、この駆動装置１０ｂで昇降する動作部１０ａを上下方向に案内するガイド部１０ｃとで形成されている。
【００２０】
上記の駆動装置１０ｂは、この実施形態では一台のシリンダーで形成され、人体型２の後側の支柱１１の下部内に、垂直に設けられている。駆動装置１０ｂとしてのシリンダーは、この実施形態では支持腕４の高さを、高くする状態と低くする状態の二段階に変更可能に形成されている。この支持腕４の高さは、米国型と欧州型のシャツ１の両方に対応できるよう、適宜選定される。
【００２１】
また支持腕４の高さを切り換えるためのスイッチ１２ａ、１２ｂ（図１参照）は、この実施形態では前側のプレス鏝１３の前面の所定位置に設けられている。１２ａは支持腕４を高くするスイッチであり、１２ｂは支持腕４を低くするスイッチである。
【００２２】
スイッチ１２ａ、１２ｂは、支持腕４の移動方向が明確になるよう、上向きの三角形と下向きの三角形に形成され、プレス鏝１３の前面のほぼ中央に設けられている。
従って、この実施形態の本発明機によると、袖１ａの傾きに合せて支持腕４の高さ変更を、作業者は、楽な姿勢で迅速にできるものである。なお、前側のプレス鏝１３は、左右方向にスライド可能に設けられている。
【００２３】
また図５に示されるように、ガイド部１０ｃは、左右一対のガイド１０ｃ１と、このガイド１０ｃ１に係合して上下動するスライド部材１０ｃ２と、このスライド部材１０ｃ２が内面に固着されているカバー１０ｃ３とで形成されている。
【００２４】
ガイド１０ｃ１は、支柱１１の前面に、縦向きに且つ平行状に取り付けられている。スライド部材１０ｃ２は、ガイド１０ｃ１の上下位置に、左右一対状に配置されている。またカバー１０ｃ３は、動作部１０ａに固定されている。
従って、駆動装置１０ｂとしてのシリンダーのロッドが伸縮すると、ガイド１０ｃ１に案内されて、スライド部材１０ｃ２、カバー１０ｃ３、及び動作部１０ａが一緒に昇降する。
【００２５】
また上記のバー９の下端と、上記の支持腕４の駆動手段３は、上記の動作部１０ａに取り付けられている。即ち、バー９の下端は、動作部１０ａの端部に、人体型２の前後方向に沿った軸６ｂ（図５参照）を中心に正逆方向に回転するよう取り付けられている。
【００２６】
また支持腕４の駆動手段３としてのシリンダーは、図３等に示されるように、先端が支持腕４に、基端が動作部１０ａの上部に、人体型２の前後方向に沿った軸６ｃ、６ｄを中心に回動可能に取り付けられている。これにより、支持腕４、動作部１０ａ、バー９、及び駆動手段３は、一緒に上下動する。
【００２７】
また動作部１０ａは、図３等に示されるように、支持腕４の傾倒時の急降下を抑えると共に、引き起こし時の動きを補助するコイルバネ１４を備えて形成されている。コイルバネ１４は、支持腕４の下端に起立状に接続されている棒１５に嵌め挿され、棒１５に固定されている鍔１６と、動作部１０ａの仕切板１７との間に設けられている。
【００２８】
このように動作部１０ａが、コイルバネ１４を備えて形成される場合は、支持腕４の傾倒時に、駆動手段３に加わる負荷を軽減でき、また支持腕４の引き起こしを小さい力で楽にできるものである。
即ち、駆動手段３のロッドが伸びて支持腕４が傾倒すると、コイルバネ１４の弾発力に抗して支持腕４の下端が棒１５と一緒に持ち上がり、コイルバネ１４を鍔１６が圧縮する。従って、このコイルバネ１４の弾発力で、支持腕４の急激な傾倒動作が、防止される。
【００２９】
また駆動手段３のロッドが収縮すると、支持腕４が引き起こされる。すると、支持腕４の下端が棒１５と一緒に下げられ、コイルバネ１４が復元する。そして、このコイルバネ１４の弾発力が、支持腕４の引き起こしを補助するものである。
【００３０】
なお、図１において、１８は、支柱１１の上端に設けられている肩用のプレス鏝である。また１９は、半袖用のクランプ装置である。このクランプ装置１９は、フレーム５に設けられている。本発明の仕上げ機は、スチームと熱風を、人体型２の内部から肩口を介してシャツ１の袖１ａの中に供給可能に形成されている。
【００３１】
また図２、図５等において、２０は、シャツ１の後側をプレスする鏝である。この後側のプレス鏝２０は、支柱１１と人体型２の間に配置され、支柱１１に横向きに設けられているシリンダー２１（図２参照）で進退動作する。
【００３２】
次に、この実施形態に係る本発明の作用を説明する。
先ず、作業者は、図１に示されるように、シャツ１を人体型２にセットする。次に、作業者は、駆動手段３のスイッチを入れ、ロッドを収縮させる。これにより、支持腕４が、人体型２の傍に配置される。
【００３３】
この状態で作業者は、先ず、人体型２に向かって左側の袖１ａの先端部を、左側の支持腕４の下鏝７に嵌め挿して固定する。そして作業者が、始動スイッチを入れると、肩用のプレス鏝１８が下降し、シャツ１の両肩をプレスする。また同時に、前側のプレス鏝１３が、人体型２の前にスライドして配置される。そこで作業者は、人体型２に向かって右側の袖１ａの先端部を、右側の支持腕４の下鏝７に嵌め挿して固定する。
【００３４】
次に、前側のプレス鏝１３と、後側のプレス鏝２０が、シャツ１の前後をプレスし、同時に上鏝８が下降回動し、袖１ａの先端部をプレスする。すると、シャツ１の袖１ａに熱風が一定時間だけ供給され、その結果、袖１ａが膨張し、袖１ａの皴が除去される。
【００３５】
而して、本発明は、この際に、シャツ１の袖１ａが米国型の場合は、作業者が、支持腕４を高くするスイッチ１２ａを入れる。
すると、駆動装置１０ｂとしてのシリンダーのロッドが伸び、支持腕４が、動作部１０ａ、バー９、及び駆動手段３と一緒に上昇し、所定の高さＨに配置される（図６参照）。
従って、袖１ａの先端部がセットされている下鏝７が高く配置され、袖１ａの角度が矯正される。
【００３６】
この場合、バー９は、シリンダー９ｂのロッドが少し伸び、全長が僅かに長くなる。これにより、下鏝７の先端が、支持腕４の回動に連れ、人体型２の肩口に向く状態に矯正される。米国型のシャツ１の場合は、このようにして袖１ａを持ち上げ、支持腕４で牽引して仕上げるものである。
【００３７】
また作業者は、シャツ１の袖１ａが欧州型の場合は、支持腕４を低くするスイッチ１２ｂを入れる。すると、支持腕４が高く配置されている場合は、駆動装置１０ｂとしてのシリンダーのロッドが収縮する。その結果、支持腕４が、動作部１０ａ、バー９、及び駆動手段３と一緒に下降し、所定の高さＨに配置される（図７参照）。
【００３８】
これにより、支持腕４と共に、下鏝７の位置が低くなり、袖１ａが引き下げられ、袖１ａの角度が矯正される。またバー９は、下鏝７の先端が、支持腕４の回動に連れ、人体型２の肩口に向くよう、シリンダー９ｂのロッドが収縮し、全長が短くなる。
【００３９】
而して、熱風は設定時間に至ると、供給が止まる。すると、前後のプレス鏝１３が人体型２から離され、前側のプレス鏝１３は右側方に退避する。同時に肩用のプレス鏝１８が上昇して復帰する。また上鏝８が上方に回動し、袖１ａの先端部の固定状態が解除される。この実施形態の本発明品は、これらの動作がプログラムで自動制御されている。
【００４０】
そして、一連の動作が終了したら、作業者は、人体型２からシャツ１を脱がせて取り外す。これにより本発明は、シャツ１の袖１ａが、米国型でも欧州型でも、本発明品の一台だけで、袖１ａを綺麗に仕上げることができる。
【００４１】
以上の処において、本発明は、支持腕４の高さを二段階に変更する場合に限定されるものではない。即ち、本発明は、シャツ１の袖１ａの傾きに応じて、多段階に変更可能に形成されているのでも良い。
【００４２】
また本発明は、昇降動作機構１０を構成する駆動装置１０ｂや、支持腕４の駆動手段３が、シリンダーに代え、例えばモータで構成されているのでも良い。またバー９は、シリンダー９ｂに代え、モータ等で長さ調節が可能になるよう形成されているのでも良い。
【符号の説明】
【００４３】
１      シャツ
１ａ    袖
２      人体型
３      駆動手段
４      支持腕
５      フレーム
６ａ    軸
７      下鏝
８      上鏝
９      バー
１０    昇降動作機構
１０ａ  動作部
１０ｂ  駆動装置
１０ｃ  ガイド部
【図１】
2015012985.tif 000003
【図２】
2015012985.tif 000004
【図３】
2015012985.tif 000005
【図４】
2015012985.tif 000006
【図５】
2015012985.tif 000007
【図６】
2015012985.tif 000008
【図７】
2015012985.tif 000009
【図８】
2015012985.tif 000010